(57)【要約】      （修正有）【課題】複数のライトテーブルをネットワークに接続された液晶のバックライトを光源とするライトテーブルを提供する。画像表示機能を有し、ライトテーブルの表示画像を変更することが可能なライトテーブルを提供する。【解決手段】バックライトを光源とするライトテーブルを作製する。券種切り替えはライトテーブル同士をネットワーク接続することにより、複数台の券種切り替えを同時に実施することができ、作業時間を大幅に短縮化を実現する。筺体状に形成された反射板と、液晶画面の光源となる蛍光管と、透明フィルムに遮光部が印刷されたライティングカーテンと、文字又は図形を表示する液晶パネルと、蛍光管から発する光を乱反射させながら透過し、液晶パネルに入射する作用を有する拡散板とを順次積層固定した液晶装置を備えることを特徴とするライトテーブルである。【選択図】図２
2015155808.tif 000002
【特許請求の範囲】
【請求項１】
筺体状に形成された反射板と、
液晶画面の光源となる蛍光管と、
透明フィルムに遮光部が印刷されたライティングカーテンと、
文字または図形を表示する液晶パネルと、
前記蛍光管から発する光を乱反射させながら透過し、前記液晶パネルに入射する作用を有する拡散板とを順次積層固定した液晶装置を備えることを特徴とするすき入れが施された枚葉紙の用紙検査を行うためのライトテーブル。
【請求項２】
前記ライトテーブルは、サーバを介し複数台連携させることで、被検査対象の用紙の券種切り替えに合わせ、前記液晶パネルに表示させる用紙検査情報を任意に切り替えができることを特徴とする請求項１記載のライトテーブル。
【発明の詳細な説明】
【技術分野】
【０００１】
本発明は、抄紙機で抄造したすき入れが施された用紙の品質及び印刷汚れ等
を検査するための画像表示機能を有するライトテーブルに関するものである。
【背景技術】
【０００２】
抄紙機で抄造したすき入れが施された用紙は、断裁工程において規定
の大きさの枚葉紙に断裁される。
【０００３】
枚葉紙に断裁された用紙は、所定枚数を１用紙積載ブロックとして管理された後、ライトテーブル検査が行われる。
【０００４】
ライトテーブル検査では、用紙すき入れ基準枠・寸法測定用目盛・用紙角度測定用目盛が印字された光透過性板に背面から蛍光灯やＬＥＤで照らすライトテーブル（検査台）を用い、用紙を一枚ずつ光透過性板に当て、すき入れの位置及びすき入れ内の汚れ等の欠陥を見つける検査を行っている。
【０００５】
銀行券等の貴重製品においては、偽造防止のため、人像のすき入れを採用している場合が多いことから、すき入れの施されていない部分と、すき入れの施された部分、さらに人像の顔などの細かい部分では、用紙検査の基準が異なっている。
【０００６】
ライトテーブル検査では、検査人が用紙積載ブロックから一枚ずつすき入れが施された枚葉紙を手に取ってライトテーブルに置き、すき入れの位置検査のほか、評価・用紙寸法・用紙角度・地合むら・ちり・油汚れ・樹脂状異物等の検査を目視で行っている。
【０００７】
欠陥となる異物の大きさ基準は、（１）すき入れの人像の目、（２）すき入れ周辺部、（３）すき入れのない個所といった場所で異なることから、ライトテーブル中央上部には、すき入れ周辺部確認マークが設けられており、異物がすき入れ周辺部に位置しているか否かを判断しているが、枚葉紙にはすき入れが複数施されており、判断に迷った場合は、すき入れ周辺部確認マークまで用紙を移動させ確認を行っていた。
【０００８】
検査が終了した枚葉紙は検査済み台に積載されるが不良と判断された枚葉紙については、不良と分かる形で検査済み荷台に積載し検査前の枚数と同じ状態で次工程へ送付される。次工程では、不良と判断された枚葉紙は検査基準をクリアした大判枚葉紙に差し替え、検査前の枚数と同じ状態の用紙積載ブロックにして数量確認を行なっている。
【０００９】
銀行券の場合、券種ごとに寸法が異なるためすき入れ位置が異なる。さらに、基準範囲についても微妙な差異があるため、検査対象の券種が切り替わる場合には、ライトテーブルの光透過性板を交換する必要がある。
【００１０】
ライトテーブルの光透過性板は、５ｋｇと重量があり、素材にガラスを使用しているため、交換時に作業負荷があり、破損の危険性にも注意が必要であった。
【００１１】
ライトテーブルとしては、上面に透光性の拡散板を有する箱形のライトテーブル本体の内部に、平板状の反射板を配設すると共に反射板の上面に、複数の長管形光源をその内端一部を交互にラップして装着し、また長管形光源が交互にラップする範囲の反射板の反射率をラップしない範囲の反射率より低く構成したことを特徴とするライトテーブルが開示されている（例えば、特許文献１参照）。
【００１２】
また、色味と輝度を変化させることが可能なライトテーブルとしては、筐体本体の上壁が、検査対象物を載せるための透光性シートにより構成されるとともに、筐体本体の内部には、透光性シートに平行な導光板と、導光板の端面の入射部に向けて光を照射する複数の発光ダイオードと、発光ダイオードに電流を供給する電源回路とが配置された欠陥検査用ライトテーブルであって、導光板は、拡散剤が均一に分散させられている光散乱導光板であり、発光ダイオードは、その発する光の波長が、赤、青、緑又は赤、青、黄のいずれかの三種類以上を有しており、電源回路は、発光ダイオードの波長ごとにそれぞれ設けられ、各電源回路に、その電流出力を変化させる調光器がそれぞれ接続されていることを特徴とする欠陥検査用ライトテーブルが開示されている（例えば、特許文献２参照）。
【先行技術文献】
【特許文献】
【００１３】
【特許文献１】実開昭６１−１９８９１６号公報
【特許文献２】特開２００７−２８５９３４号公報
【発明の開示】
【発明が解決しようとする課題】
【００１４】
しかしながら、特許文献１及び特許文献２は、用紙の透過性や、被検査対象の異物の種類により色彩を変化させることで、異物の検出を容易にするものであるが、被検査対象が複数種類あり検査対象ごとに寸法が異なった場合や、すき入れが施された枚葉紙の同一用紙内で異物の存在する箇所ごとに範囲基準が異なる等の要件を考慮したものではなかった。
【００１５】
また、被検査対毎に寸法等が異なっていることから、検査対象を切り替える場合には光透過性板の交換が必須であるが、ガラス素材からなる光透過性板の交換時にかかる作業負荷と、破損の危険性の問題があった。
【００１６】
すき入れが施された枚葉紙の製造段階において、地合むら・ちり・油汚れ・樹脂状異物等の欠陥が連続した場合において、その欠陥の最新情報を検査人全員へ周知するために多くの時間を要してしまう問題があった。
【００１７】
本発明は、このような従来の問題を解決することを目的としたもので、ライトテーブルの光透過性板から画像表示機能を有する液晶パネル等に変更することで、画像表示機能を有し、かつ、複数のライトテーブルをネットワーク接続することにより、一斉に連携されたライトテーブルの表示画像を変更することが可能なライトテーブルを提案することを目的とする。
【課題を解決するための手段】
【００１８】
本発明は、筺体状に形成された反射板と、液晶画面の光源となる蛍光管と、透明フィルムに遮光部が印刷されたライティングカーテンと、文字または図形を表示する液晶パネルと、蛍光管から発する光を乱反射させながら透過し、液晶パネルに入射する作用を有する拡散板とを順次積層固定した液晶装置を備えることを特徴とする、すき入れが施された枚葉紙の用紙検査を行うためのライトテーブルである。
【００１９】
前記ライトテーブルは、サーバを介し複数台連携させることで、被検査対象の用紙の券種切り替えに合わせ、前記液晶パネルに表示させる用紙検査情報を任意に切り替えができることを特徴とする。
【発明の効果】
【００２０】
検査対象を変更する場合、光透過性板の交換における作業負荷及び危険性の問題が回避できる。
【００２１】
複数台のライトテーブルをネットワーク化することにより、光透過性板の交換を手作業で実施することなく即時に券種切り替えが可能となり、作業時間の短縮が図れる。
【００２２】
光源に液晶のバックライトを使用するため、ライトテーブルの薄型軽量化を図ることができ、また、ライトテーブルの定期的な交換の必要性がなくなる。
【００２３】
最新の用紙情報を一括して作業者全員が共有することができ、迅速かつ安定的な作
業を行うことができる。
【図面の簡単な説明】
【００２４】
【図１】ライトテーブルの構成を示す図。
【図２】本発明における画像表示機能を有したライトテーブルを示す図。
【図３】本発明における複数台のライトテーブルをネットワーク回線に介し、券種切り替えを同時に行うことを示す図。
【発明を実施するための形態】
【００２５】
本発明を実施するための形態について、図面を用いて説明する。しかしながら、本発明は、以下に述べる実施するための形態に限定されるものではなく、特許請求の範囲記載における技術的思想の範囲内であれば、その他いろいろな実施の形態が含まれる。  
【００２６】
図１に液晶ライトテーブル（Ｌ）の要部の構成を示す。筐体状に形成された反射板（Ｌ−１）には蛍光管（Ｌ−２）が取り付けられている。反射板（Ｌ−１）の上部には ライティングカーテン（Ｌ−３）、拡散板（Ｌ−４）及び液晶パネル（Ｌ−５）が順  次積層固定されている。
【００２７】
ライティングカーテン（Ｌ−３）は透明フィルムに遮光部が印刷されており、遮光部を蛍光管（Ｌ−２）の輝度の分布に合わせて配置することにより、液晶パネル（Ｌ−５）上の輝度ムラの発生を抑制している。また拡散板（Ｌ−４）は乳白色の樹脂板などで構成されており、蛍光管（Ｌ−２）から発する光を乱反射させながら透過して、液晶パネル（Ｌ−５）に入射する作用を有している。さらに液晶パネル（Ｌ−５）は透過率を無段階に調整できるアクティブ・マトリックス方式の画面表示用液晶で構成されている。
【００２８】
図２は本発明におけるライトテーブルに画像表示機能を持たせ、表示画像の切り替えのみで券種切り替えが可能になることを示す図である。
【００２９】
図２(ａ)は券種Ａの検査基準を画面表示した図であり、被検査対象の券種を変える場合には、位置計測ラインの表示切り替え処理を行うことで図２(ｂ)のように即座に表示画像を切り換えることが可能である。
【００３０】
図３は複数台のライトテーブルにネットワーク回線を介し、サーバ（ｃ）と接続することによりネットワーク化した図である。検査対象の券種が変更される場合、サーバ側からは表示画像の切り替え処理を実行することで、複数台のライトテーブルの表示画像を同時に切り替える。
【００３１】
さらに、事前に把握している用紙情報、検査に必要な用紙の製造情報及び連続して発生する可能性のあるトラブル情報を各ライトテーブルへ送信し、液晶画面上にテロップ形式で表示していることから、必要な情報を迅速に伝えられるため、想定外の損紙の発生を制御している。
【００３２】
また、ネットワーク化したことで、トラブル発生時に各ライトテーブル側からサイン通知が行えることで、異物の判断に困った場合等詳細判断基準の送信リクエストができる。
【００３３】
サイン通知機能を利用することで、連続して発生したトラブル情報の収集と、トラブルの発生状況をオンタイムで把握している。
【実施例１】
【００３４】
すき入れが施された用紙の用紙検査工程において、検査人は用紙積載ブロックよりすき入れが施された用紙を一枚ずつ取り、所定の位置に載置する。
【００３５】
用紙検査人は、用紙全面の地合いむら、ちり、油汚れ及び樹脂状異物等の有無を確認し、検査基準に基づいて良紙か損紙の判断を行う。
また、検査基準については、過去の事例を反映し基準を設定している。
【００３６】
しかしながら、すき入れの人像部や人像の顔の部分については、良紙か損紙の判定は難しく、検査人が判断することが困難であることから、判断に困った場合には、ライトテーブルの液晶画面上に、検査基準を表示し判断を行う。
【００３７】
本発明のライトテーブルでは、検査人が任意に表示させたい情報を選択し表示させることが可能である。
【００３８】
さらに、過去に事例が無く、様々なトラブル等により発生した地合いむら、ちり、油汚れ及び樹脂状異物等の場合には、各検査人のライトテーブルからサーバにアクセスすることで、良紙か損紙の判断ができる者の確認を得ることも可能である。
【００３９】
検査により、損紙が発見した場合は、損紙と良紙を区分し検査前と同数の積載ブロックの状態にし、次工程へ搬送される。
【００４０】
Ｌ      液晶ライトテーブル
Ｌ−１  反射板
Ｌ−２  蛍光管
Ｌ−３  ライティングカーテン
Ｌ−４  拡散板
Ｌ−５  液晶パネル
ａ      券種Ａ
ｂ      券種Ｂ
ｃ      サーバ
【図１】
2015155808.tif 000003
【図２】
2015155808.tif 000004
【図３】
2015155808.tif 000005